(57)【特許請求の範囲】
【請求項１】
梱包対象である物品を収容する箱形状の梱包体と、前記物品の少なくとも一部を覆って前記梱包体に収容される緩衝体とを備える包装箱であって、
前記梱包体は、シート素材を折り曲げて箱形状に形成されていて、前記シート素材は、前記梱包体の外面を構成する側板部と、この側板部に第１の方向に沿って連続し且つ前記梱包体の内側に第１の方向と直交する第２の方向に沿って折り曲げられる内部片とを少なくとも有し、
前記梱包体は、４つの前記側板部と１つの前記内部片とが第１の方向に沿って連接された１枚のシート素材で四角筒形状に形成されていて、
前記内部片が連接されていない側の端部に位置する前記側板部は、前記内部片が連接されている側に位置する前記側板部または前記内部片に固着され、
前記内部片の先端は、前記梱包体の内側にて前記４つの側板部のうち、前記内部片が連接されている側板部に隣接する側板部に固着され、
前記梱包体の内側には、前記内部片を折り曲げることで、前記側板部と空間を隔てて配置され且つ前記緩衝体と当接する内壁部が形成され、
前記緩衝体は、パルプモールド製であって、緩衝用に複数の突部が形成されていて、
前記内部片で形成された内壁部には、前記第２の方向に沿って折り曲げ可能な舌片部が部分的に設けられていて、前記舌片部によって開口形成された部位に、前記緩衝体の複数の突部のうち他の突部よりも突出した特定の突部が挿入され、
前記舌片部の先端は、前記内壁部と対向する前記側板部に固着され、
前記開口形成された部位は、前記内部片の一端部において前記第２の方向に開放し、
前記特定の突部が記第１の方向と前記第２の方向とを含む平面に対して垂直に伸びる状態で、前記開口形成された部位の前記第２の方向に開放する箇所から前記特定の突部が挿入されることで、前記特定の突部が、前記開口形成された部位に嵌ることを特徴とする包装箱。
【請求項２】
前記内壁部は、前記梱包体に収容された状態における前記物品の上下左右の端部のうちの、右または左の端部に対応して設けられていることを特徴とする請求項１に記載の包装箱。
【発明の詳細な説明】
【技術分野】
【０００１】
本発明は、物品の少なくとも一部を緩衝体で覆って箱状の梱包体に収容する包装箱の構造に関するものであり、特に、プリンタ、ファクシミリ、ノートパソコン等の電子機器や精密機器に好適な包装箱に関するものである。
【背景技術】
【０００２】
従来、工場で生産した電子機器や精密機器のような各種物品を出荷する際には、ダンボール箱等の箱状の梱包体に物品を梱包しているが、ダンボール箱内における物品の固定や、搬送時や保管時に外部から受ける衝撃及び荷重の緩衝等を目的として、物品を部分的に緩衝体で包んで梱包体に収容している。近年では、発泡スチロール等のプラスチックゴミ等を極力少なくすることや、リサイクル促進を図ることを考慮して、古紙を材料とするパルプモールド製の緩衝体の使用が増えている（特許文献１参照）。
【特許文献１】特開２００７−１３１３０７号公報（図１参照）
【発明の開示】
【発明が解決しようとする課題】
【０００３】
パルプモールド製の緩衝体は、古紙を利用した材料を成型することで、薄い肉厚の開放箱状の部材における内外面に多数の凹凸が形成されるが、緩衝体の内側は梱包対象である物品の外形に対応して突部が設けられ、緩衝体の外側は梱包体の内形に対応して突部が設けられている。しかしながら、成型時の抜き勾配を考慮して、緩衝体の突部は外側に行くほど先細りとなるテーパ形状を有している。また、梱包体の隅部や稜線部（梱包体の２つ以上の面が交差する部分）に対向する緩衝体の部位では、梱包体の隅部や稜線部を十分に支える形状の突部を作り難いため、緩衝性能が不足しがちであった。
【０００４】
そのため、梱包体が落下や衝撃によって外部から荷重を受けると、梱包体の隅部や稜線部に対応する部位の緩衝体が梱包体とともに変形し易く、物品の破損を招来する虞があった。
【０００５】
本発明は、物品をその一部を覆う緩衝体とともに、箱形状の梱包体に収容させる包装箱において、特に梱包体の隅部や稜線部を補強して、物品に対する緩衝性を向上させることを目的とするものである。
【課題を解決するための手段】
【０００６】
前記目的を達成するために、請求項１に記載の発明は、梱包対象である物品を収容する箱形状の梱包体と、前記物品の少なくとも一部を覆って前記梱包体に収容される緩衝体とを備える包装箱であって、前記梱包体は、シート素材を折り曲げて箱形状に形成されていて、前記シート素材は、前記梱包体の外面を構成する側板部と、この側板部に第１の方向に沿って連続し且つ前記梱包体の内側に第１の方向と直交する第２の方向に沿って折り曲げられる内部片とを少なくとも有し、前記梱包体は、４つの前記側板部と１つの前記内部片とが第１の方向に沿って連接された１枚のシート素材で四角筒形状に形成されていて、前記内部片が連接されていない側の端部に位置する前記側板部は、前記内部片が連接されている側に位置する前記側板部または前記内部片に固着され、前記内部片の先端は、前記梱包体の内側にて前記４つの側板部のうち、前記内部片が連接されている側板部に隣接する側板部に固着され、前記梱包体の内側には、前記内部片を折り曲げることで、前記側板部と空間を隔てて配置され且つ前記緩衝体と当接する内壁部が形成され、前記緩衝体は、パルプモールド製であって、緩衝用に複数の突部が形成されていて、前記内部片で形成された内壁部には、前記第２の方向に沿って折り曲げ可能な舌片部が部分的に設けられていて、前記舌片部によって開口形成された部位に、前記緩衝体の複数の突部のうち他の突部よりも突出した特定の突部が挿入され、前記舌片部の先端は、前記内壁部と対向する前記側板部に固着され、前記開口形成された部位は、前記内部片の一端部において前記第２の方向に開放し、前記特定の突部が記第１の方向と前記第２の方向とを含む平面に対して垂直に伸びる状態で、前記開口形成された部位の前記第２の方向に開放する箇所から前記特定の突部が挿入されることで、前記特定の突部が、前記開口形成された部位に嵌ることを特徴とするものである。
【０００７】
【０００８】
請求項２に記載の発明は、請求項１に記載の包装箱において、前記内壁部は、前記梱包体に収容された状態における前記物品の上下左右の端部のうちの、右または左の端部に対応して設けられていることを特徴とするものである。
【０００９】
【００１０】
【００１１】
【００１２】
【発明の効果】
【００１３】
請求項１に記載の発明によれば、梱包体の外面を構成する側板部に連続する内部片が、梱包体の内側に折り曲げられて、側板部と空間を隔てて配置され且つ緩衝体と当接する内壁部が形成されている。つまり、緩衝体と側板部との間には内壁部で区切られた空間を設けているので、外部からの衝撃や荷重が、前記側板部やその隅部、稜線に加わっても、前記空間によって緩衝体が直ちに変形することを防ぐことができ、その結果、収容された物品の破損を防止することができる。
そして、緩衝体はパルプモールド製であって、緩衝用に複数の突部が形成されているから、緩衝体を成型するときの抜き勾配等の都合で、外側が先細りとなって角部などの強度が弱くなり易い。しかしながら、緩衝体は梱包体の内側にて内壁部と当接し、側板部とは離隔しているから、緩衝体に強度が不足している部分があっても、補強され変形を防止することができる。
また、内壁部に切欠部または折り曲げた舌片部によって形成された開口の部位に、緩衝体の突部が挿入されるから、緩衝体のがたつきを防止することができる。
さらに、舌片部の先端は、内壁部と対向する側板部に固着され支持されるから、内壁部の強度が向上される。
【００１４】
そして、請求項１に記載の発明によれば、梱包体の内側に折り曲げられる内部片は、梱包体を構成する４つの側板部に連接されているから、１枚のシート素材から梱包体を組み立てるときに、同時に内部片を折り曲げて内壁部を形成でき、製造工程が簡略化できる。また、内部片の先端は、梱包体の内側に固着され支持されているので、内部片によって形成された内壁部の強度も向上される。
【００１５】
さらに、梱包体を物品が取り出された状態で保管するときにも、内壁部を構成する内部片が梱包体に一体化されているから、梱包体を扁平に変形させても一緒に保管でき、持ち運びが容易で、次に梱包体を復元するときにも直ちに元の状態に内壁部を形成することができる。
【００１６】
請求項２に記載の発明によれば、内壁部は、梱包体に収容された状態における前記物品の上下左右の端部のうちの、右または左の端部に対応して設けられているから、部品の右または左の端部を覆うように設けられた緩衝体が、内壁部を設けることによって補強される。
【００１７】
【００１８】
【００１９】
【００２０】
【００２１】
【発明を実施するための最良の形態】
【００２２】
以下に、本発明の包装箱の基本的な実施形態を、図面を用いて説明する。本実施形態の包装箱１００は、梱包対象である物品３を収容する箱形状の梱包体１と、物品３の少なくとも一部を覆って梱包体１に収容される緩衝体２とを備えている。緩衝体２は、物品３の対向する端部を覆うように２つ備えられている。なお、物品３は、袋状の保護シート４により被覆されてから、緩衝体２にて覆われる。
【００２３】
この実施形態では、物品３は、電子機器の１つである画像記録装置（図５参照、プリンタ装置、ファクシミリ装置、多機能の復号装置等）であって、その使用状態における全体形状は、幅寸法、奥行き寸法に比べて高さ寸法が短い略直方体形状を呈している。つまり、物品３の側面のうち、上面３ａと下面３ｂとが最も大きな面積を有する側面になっている。なお、厳密には、上面３ａは、蓋体や表示操作部が設けられているので平面ではない。
【００２４】
梱包体１には、ダンボール箱が適用されていて、物品３に応じた直方体形状に形成されており、その天面１ａが開放面となっている。また、この明細書の中で画像記録装置の「上下」、「左右」、「前後」の各方向は、使用状態における画像記録装置（下面３ｂを平坦な箇所に対向して載置した状態）を前面３ｃから画像記録装置を見た場合に、定義される方向となる。更に、梱包体１の上下方向は、図１に示す梱包体１の上下方向を示すものとする。
【００２５】
物品３は、梱包体１に収容されるときには、上面３ａ及び下面３ｂが鉛直方向とほぼ平行になるように、すなわち上面３ａ及び下面３ｂを縦向きにし、且つ使用状態における前後の側面のうち、前面３ｃを梱包体１の天面１ａ側に位置させている。画像記録装置である物品３には、その前面３ｃから挿抜される用紙カセット３ｅが備えられていて、梱包時には、用紙カセット３ｅの中に、説明書等の付属品が収納されている。従って、物品３の前面３ｃを梱包体１の天面１ａ側に向けて収納することで、梱包体１の天面１ａを開放して物品３を取り出すときに、用紙カセット３ｅやその中の付属品が脱落することを防止できる。
【００２６】
本実施形態の物品３は、梱包体１に収容された状態における上下左右の端部のうち、左右の端部（物品３の上面３ａ及び下面３ｂの短辺側の端部）の周囲が緩衝体２、２でそれぞれ覆われている。すなわち、２つの緩衝体２は、梱包体１の上下方向に沿って延びるようにして配置されていて、物品３を嵌め入れるための窪み部５がそれぞれ上下に長く凹設されている。この実施形態では、緩衝体２は、物品３の両端部のみを覆い、物品３の中央部は露出しているが、緩衝体２によって、物品３の周囲を完全に覆うようにしてもよい。
【００２７】
緩衝体２は、古紙をリサイクルして形成したパルプモールド製で、軽量化及び強度化の観点から内外面に多くの突部８０（波形部、立壁部、箱状部等の殻構造及びリブ構造）を有している。つまり、緩衝体２は、前述したような多数の突部８０を内面と外面に形成することによって、物品３と梱包体１との間に所定の隙間を設けながら物品３の位置ずれを防止し、且つ外部からの荷重や衝撃に対する緩衝性を確保している。また、緩衝体２の各突部８０の内方側（窪み部５の内面）に突出する頂面が物品３と接触することで、物品３の位置決め及び固定が行われる。なお、緩衝体２の外面に突出する突部８０は、成型時の抜き勾配を設けるために、窪み部５が設けられている側からその反対側に向かって狭まったテーパ形状に形成されている。
【００２８】
梱包体１は、ダンボール製のシート素材１０を折り曲げて箱形状に形成したものであり、図２の展開図に示すように、シート素材１０は、梱包体１の外面を構成する４つの側板部１１ａ、１１ｂ、１２ａ、１２ｂと内部片１３とを有している。４つの側板部は、第１側板部１１ａ、１１ｂと、第２側板部１２ａ、１２ｂが、交互に配置されている。つまり、第１側板部１１ａ、第２側板部１２ｂ、第１側板部１１ｂ、第２側板部１２ｂ、内部片１３の順で、第１の方向に（図２のＸ方向）に沿って連接されている。なお、梱包体１で折り曲げられる各部、各片に沿って、折り曲げ容易性を付与された罫線が設けられていて、ここでは梱包部材１の素材の厚みが半分程度になるように刻設した折線２０が設けられている。
【００２９】
４つの側板部のうち、第１側板部１１ａ、１１ｂが、物品３の上面３ａ及び下面３ｂと対向するため、第２側板部１２ａ、１２ｂよりも大きな平面積に形成されている。各側板部の縦寸法が同じなので、第１側板部１１ａ、１１ｂの幅寸法は第２側板１２ａ、１２ｂの幅寸法よりも長くなっている。梱包体１は、４つの側板部が折り曲げられて四角筒形状に形成されるが、このとき、内部片１３が連接されていない側の端部に位置する第１側板部１１ａが、内部片１３の基端（隔壁部１３ｂ）に固着される。なお、第１側板部１１ａに糊代部を連接して、この糊代部を第２側板部１２ｂに固着するようにしてもよい。
【００３０】
第１側板部１１ａ、１１ｂの第１の方向に直交する第２の方向（図２のＹ方向）側の両端には、外フラップ１５がそれぞれ連接され、第２側板部１２ａ、１２ｂの第２の方向側の両端には、内フラップ１６がそれぞれ連接されている。各フラップ１５、１６は略矩形状を呈し、それが連接された側板部と同じ幅寸法に形成されている。梱包体１の四角筒形状の開口を覆うときには、１対の内フラップ１６が折り曲げられて、その後に１対の外フラップ１５が折り曲げられるので、内フラップ１６は外フラップ１５に覆われる。このように、梱包体１の上下の開口で、各フラップが重なって、梱包体１の天面１ａ及び底面１ｂが形成される。
【００３１】
内部片１３は、梱包体１の四角筒形状の内側に折り曲げられ（折り込まれ）ていて、図１、図３及び図４に示すように、その基端となる隔壁部１３ｂが第１側板部１１ａと重なり、隔壁部１３ｂから第２側板部１２ｂに平行状に折り曲げられた部分が、第２側板部１２ｂと空間を隔てて配置され且つ緩衝体２と当接する内壁部１７を構成している。内部片１３の先端部１３ａは糊代となって、内部片１３の隔壁部１３ｂ（基端）から離れた位置にある第１側板部１１ｂに固着されている。内壁部１７には、側面視Ｌ字状に切り込み形成された舌片部１８が設けられ、この舌片部１８は第２側板部１２ｂ側に向かって折り曲げられ、舌片部１８の先端部１８ａは糊代となって第２側板部１２ｂに固着され、舌片部１８は第２側板部１２ｂに直交して配置されている。舌片部１８の折り曲げによって、内壁部１７には開口部１９が形成されている。
【００３２】
内壁部１７に当接する側の緩衝体２には、あらかじめ開口部１９に挿入できるようにその他の突部８０よりも突出高さの高い突部８０ａが設けられている。すなわち、内壁部１７側に突出する突部８０のうち突出高さの高い突部８０ａは開口部１９に挿入され、その他の突部８０はその頂面が内壁部１７に接触している。あらかじめ、突部８０ａが開口部１９に挿入したときにがたつきが生じないように、突部８０ａと舌片部１８の位置や大きさが設定されている。
【００３３】
上記構成によると、第２側板部１２ｂと間隔をあけた内壁部１７が梱包体１の内側に形成され、物品３の左右に配置された緩衝体２のうち、一方の緩衝体２は内壁部１７と当接する。内壁部１７は、内部片１３の先端部１３ａによって第１側板部１１ｂに固着され、舌片部１８の先端部１８ａによって第２側板部１２ｂに固着されているから、第１側板部１１ｂとこれに交差する第２側板部１２ｂの両方に渡って支持され、内壁部１７の強度が高められる。つまり、内壁部１７と第２緩衝体２との間に所定間隔の空間が形成されることに加えて、内壁部１７の強度が高められることで、前記空間が潰れ難くなっている。
【００３４】
内壁部１７と第２緩衝体２との間の空間は、第２側板部１２ｂ側の梱包体１の隅部（稜線部）１ｃに対応して（カバーするように）形成されているから、梱包体１の隅部（稜線部）１ｃに対応する部位の緩衝体２の強度不足が補われる。そのため、梱包体１の隅部（稜線部）１ｃが外部から衝撃や荷重を受けたときに、梱包体１とともに緩衝体２が変形して物品３の破損を招くことを防止することができる。
【００３５】
また、第２側板部１２ｂの近傍には、第２側板部１２ｂに平行な内壁部と、第２側板部１２ｂに直交する舌片部１８とが設けられていて、換言すれば、上下方向に延びる面（垂直面）が複数設けられているから、梱包体１の上下方向の強度も向上し、包装箱１００を保管するときに安心して上下方向に積み上げることができる。
【００３６】
また、内壁部１７を形成するための内部片１３は、第２側板部１２ｂに連接されて梱包体１に一体化されているので、物品３が取り出された状態で梱包体１を保管するときには、内部片１３を含んだまま梱包体１を扁平に折り畳みでき、持ち運びも一緒にできる。そして、必要に応じて、梱包体１を元の四角筒形状に折り曲げて物品３を収容するときには、内部片１３を内壁部１７を形成する形に簡単に復元することができる。そのため、内壁部１７を梱包体１と別体で構成する（別部材を梱包体１に組み付ける）場合に比べて、保管場所をとらないうえに、紛失も防止できる。
【００３７】
また、舌片部１８を折り曲げて形成された開口部１９には、緩衝体２の突部８０ａがきっちりと挿入されるので、緩衝体２の位置ずれを抑制できる利点もある。
【００３８】
さらに、内壁部１７と当接する側の緩衝体２は、内壁部１７によって補強されているので、内壁部１７と当接しない側の緩衝体２に比べて、緩衝体２の奥行き寸法（窪み部５が設けられている側からその反対側までの寸法）を短縮でき、パルプモールドの成型性が向上し、歩留まりや成型精度を高めることができる。加えて、緩衝体２の奥行き寸法を短縮することで、内壁部１７と第２側板部１２ｂとの間に空間を設けても、包装箱１００全体が著しく大型化することを抑制することができる。
【００３９】
なお、この実施形態では、舌片部１８は、第２の方向（Ｙ方向）に平行な折線２０で折り曲げられるように構成しているが、内壁部１７に上端から下端側に向けて平行状の２本の切り込みを設けて形成した舌片部を第１の方向（Ｘ方向）に平行な折線で折り曲げてもよい。また、内壁部１７の強度が多少劣るものの、舌片部１８に代えて内壁部１７に切欠部を設けることで、突部８０ａを挿入するための開口部１９を形成してもよい。
【００４３】
なお、上述の実施形態の物品３の使用状態における全体形状は、幅寸法、奥行き寸法に比べて高さ寸法が短い略直方体形状を呈し、物品３の前面３ｃを梱包体１の天面１ａ側に位置させて収容したが、物品３の形状、収容時の向きについてはこれに限定するものではない。物品３は、幅寸法、奥行き寸法、高さ寸法を有する立体形状物であればどのような形状でもよく、例示した画像記録装置に限定するものでもない。
【００４４】
また、上述の実施形態では、内壁部１７を平面積が小さい第２側板部１２に対して設けたが、内壁部１７は、物品３に取り付けられる緩衝体２の配置位置に対応して設ければよいので、上記構成に限定するものではない。
【図面の簡単な説明】
【００４５】
【図１】実施形態の包装箱を説明する分解斜視図である。
【図２】第１実施形態の梱包体の素材シートの展開図である。
【図３】第１実施形態の梱包体の横断面図である。
【図４】第１実施形態の内壁部近傍の斜視図である。
【図５】物品として適用された画像記録装置の外観図である。
【符号の説明】
【００４６】
１梱包体
２緩衝体
３物品
１０、３０ａ、３０ｂシート素材
１１ａ、１１ｂ、１１第１側板部
１２ａ、１２ｂ、１２第２側板部
１３内部片
１５外フラップ
１６内フラップ
１７内壁部
１８舌片部
１８ａ先端部
１９開口部
８０突部
１００包装箱
【図１】
0005282861.tif 000002
【図２】
0005282861.tif 000003
【図３】
0005282861.tif 000004
【図４】
0005282861.tif 000005
【図５】
0005282861.tif 000006